【手続補正書】
【提出日】平成20年11月12日(2008.11.12)
【手続補正１】
【補正対象書類名】特許請求の範囲
【補正対象項目名】全文
【補正方法】変更
【補正の内容】
【特許請求の範囲】
【請求項１】
複数の属性が設定されている複数のコンテンツを分類する情報処理装置であって、
記憶手段に記憶されている複数のコンテンツを前記属性それぞれによって分類した場合の分類数と、各分類のコンテンツ数とをカウントする第１の分類手段と、
前記第１の分類手段でカウントした各属性で分類した場合の分類数とコンテンツ数とに基づいて、いずれの属性を基準としてコンテンツを分類すべきかを決定する決定手段と、
を有することを特徴とする情報処理装置。
【請求項２】
前記第1の分類手段が分類するコンテンツの分類数の上限数を設定する設定手段を有し、
前記決定手段は、前記設定手段により設定された上限数と前記第１の分類手段でカウントした分類数とコンテンツ数とに基づいて、いずれの属性を基準としてコンテンツを分類すべきかを決定することを特徴とする請求項１記載の情報処理装置。
【請求項３】
前記決定手段により決定された属性の属性値一覧を表示手段に表示する第１の表示制御手段と、
前記第１の表示制御手段により表示された属性値一覧の中から、絞込みに用いる属性値をユーザに選択させる選択手段と、
前記選択された属性値に基づいて、コンテンツを絞り込む絞込み手段と、
を有することを特徴とする請求項１または２記載の情報処理装置。
【請求項４】
前記決定手段により決定された属性を用いて分類を行った結果に対して、当該分類に用いた属性を除く属性それぞれによって分類した場合の分類数と各分類のコンテンツ数とをカウントする第２の分類手段と、
前記第２の分類手段でカウントした分類数とコンテンツ数とに基づいて、コンテンツの分類に用いるべき次の属性を決定する第２決定手段と、
を更に有することを特徴とする請求項１乃至３のいずれかに記載の情報処理装置。
【請求項５】
各属性に対する優先度を記憶する優先度記憶手段を更に有し、
前記決定手段では、前記優先度と前記分類数と前記コンテンツ数とに基づいて、いずれの属性を基準としてコンテンツを分類すべきかを決定することを特徴とする請求項１乃至４のいずれかに記載の情報処理装置。
【請求項６】
設定される複数の属性中から組み合わせ可能な複合属性を記憶する複合属性記憶手段を有し、
前記第１の分類手段では、前記複合属性記憶手段に記憶される各複合属性それぞれによって分類した場合の分類数とコンテンツ数とをカウントし、
前記決定手段では、当該調べた各複号属性で分類した場合の分類数とコンテンツ数とに基づいて、いずれの属性を基準としてコンテンツを分類すべきかを決定することを特徴とする請求項１乃至５のいずれかに記載の情報処理装置。
【請求項７】
複数の属性が設定されている複数のコンテンツを分類する情報処理方法であって、
記憶手段に記憶されている複数のコンテンツを前記属性それぞれによって分類した場合の分類数と、各分類のコンテンツ数とを、メモリ上に確保したリストを用いてカウントする第１の分類ステップと、
前記第１の分類ステップでカウントした各属性で分類した場合の分類数とコンテンツ数とに基づいて、いずれの属性を基準としてコンテンツを分類すべきかを決定する決定ステップと、
を有することを特徴とする情報処理方法。
【請求項８】
コンピュータに、複数の属性が設定されている複数のコンテンツを分類させるためのコンピュータプログラムであって、
コンピュータを、
記憶手段に記憶されている複数のコンテンツを前記属性それぞれによって分類した場合の分類数と、各分類のコンテンツ数とをカウントする第１の分類手段、
前記第１の分類手段でカウントした各属性で分類した場合の分類数とコンテンツ数とに基づいて、いずれの属性を基準としてコンテンツを分類すべきかを決定する決定手段、
として機能させるためのコンピュータプログラム。
【請求項９】
前記コンピュータを、更に、前記第1の分類手段が分類するコンテンツの分類数の上限数を設定する設定手段として機能させ、
前記決定手段では、前記設定手段により設定された上限数と前記第１の分類手段でカウントした分類数とコンテンツ数とに基づいて、いずれの属性を基準としてコンテンツを分類すべきかを決定させることを特徴とする請求項８記載のコンピュータプログラム。
【請求項１０】
前記コンピュータを、更に、
前記決定手段により決定された属性の属性値一覧を表示手段に表示する第１の表示制御手段、
前記第１の表示制御手段により表示された属性値一覧の中から、絞込みに用いる属性値をユーザに選択させる選択手段、
前記選択された属性値に基づいて、コンテンツを絞り込む絞込み手段、
として機能させることを特徴とする請求項８または９に記載のコンピュータプログラム。
【請求項１１】
前記コンピュータを、更に、
前記決定手段により決定された属性を用いて分類を行った結果に対して、当該分類に用いた属性を除く属性それぞれによって分類した場合の分類数と各分類のコンテンツ数とをカウントする第２の分類手段、
前記第２の分類手段でカウントした分類数とコンテンツ数とに基づいて、コンテンツの分類に用いるべき次の属性を決定する第２決定手段、
として機能させることを特徴とする請求項８乃至１０のいずれかに記載のコンピュータプログラム。
【請求項１２】
前記決定手段では、優先度記憶手段に記憶された各属性に対する優先度と、前記分類数と、前記コンテンツ数とに基づいて、いずれの属性を基準としてコンテンツを分類すべきかを決定することを特徴とする請求項８乃至１１のいずれかに記載のコンピュータプログラム。
【請求項１３】
前記第１の分類手段では、設定される複数の属性中から組み合わせ可能な複合属性を記憶する複合属性記憶手段を用いて、前記複合属性記憶手段に記憶される各複合属性それぞれによって分類した場合の分類数とコンテンツ数とをカウントし、
前記決定手段では、当該調べた各複号属性で分類した場合の分類数とコンテンツ数とに基づいて、いずれの属性を基準としてコンテンツを分類すべきかを決定することを特徴とする請求項８乃至１２のいずれかに記載のコンピュータプログラム。
【請求項１４】
請求項８乃至１３のいずれかに記載のコンピュータプログラムを格納したことを特徴とする、コンピュータ読み取り可能な記憶媒体。
【手続補正２】
【補正対象書類名】明細書
【補正対象項目名】発明の名称
【補正方法】変更
【補正の内容】
【発明の名称】情報処理装置、情報処理方法、プログラムおよび記憶媒体
【手続補正３】
【補正対象書類名】明細書
【補正対象項目名】００１０
【補正方法】変更
【補正の内容】
【００１０】
本発明は、上記の課題を解決するためになされたもので、本発明の目的は、利用者は、適度な数に分類された属性値を選択し、コンテンツを効率的に絞り込んで所望のコンテンツにアクセスできる仕組みを提供することである。
【手続補正４】
【補正対象書類名】明細書
【補正対象項目名】００１３
【補正方法】変更
【補正の内容】
【００１３】
複数の属性が設定されている複数のコンテンツを分類する情報処理装置であって、記憶手段に記憶されている複数のコンテンツを前記属性それぞれによって分類した場合の分類数と、各分類のコンテンツ数とをカウントする第１の分類手段と、前記第１の分類手段でカウントした各属性で分類した場合の分類数とコンテンツ数とに基づいて、いずれの属性を基準としてコンテンツを分類すべきかを決定する決定手段とを有することを特徴とする。
【手続補正５】
【補正対象書類名】明細書
【補正対象項目名】００１４
【補正方法】変更
【補正の内容】
【００１４】
上記目的を達成する本発明の情報処理方法は以下に示す構成を備える。
【手続補正６】
【補正対象書類名】明細書
【補正対象項目名】００１５
【補正方法】変更
【補正の内容】
【００１５】
複数の属性が設定されている複数のコンテンツを分類する情報処理方法であって、記憶手段に記憶されている複数のコンテンツを前記属性それぞれによって分類した場合の分類数と、各分類のコンテンツ数とを、メモリ上に確保したリストを用いてカウントする第１の分類ステップと、前記第１の分類ステップでカウントした各属性で分類した場合の分類数とコンテンツ数とに基づいて、いずれの属性を基準としてコンテンツを分類すべきかを決定する決定ステップとを有することを特徴とする。
【手続補正７】
【補正対象書類名】明細書
【補正対象項目名】００３４
【補正方法】変更
【補正の内容】
【００３４】
ポインティング・デバイスであるマウス２１３によりディスプレイ２１６上で画像情報の加工指示を行う。マウス２１３によりディスプレイ２１６上のカーソルをＸ，Ｙ方向任意に移動してコマンドメニュー上のコマンドやアイコンを選択する。そして、マウス２１３は、その選択の指示を行うほか、編集対象の指示、描画位置の指示等も行うようになっている。
【手続補正８】
【補正対象書類名】明細書
【補正対象項目名】０１２１
【補正方法】変更
【補正の内容】
【０１２１】
カラー種別６０２の属性値である、白黒と、グレースケールと、フルカラーと、それぞれのコンテンツの個数が「５」、「６」、「１９」と表示されている状態である。
【手続補正９】
【補正対象書類名】明細書
【補正対象項目名】０１７４
【補正方法】変更
【補正の内容】
【０１７４】
そして、Ｓ１５０３において、利用者が選択したのは「ＧＩＦ」であって「不明」ではないので、処理はステップＳ１５０４に移る。
【手続補正１０】
【補正対象書類名】明細書
【補正対象項目名】０１７６
【補正方法】変更
【補正の内容】
【０１７６】
次に、ステップＳ３０８において、ファイル種別６０１の最大コンテンツ数は「３０」であり、なおかつＰＬ［ ］の要素数は０ではないので、処理はステップＳ３０４に移る。処理は図１６に移り、ステップＳ１６０３において、属性リストＰＬ［ ］の要素は、カラー種別６０２と、作成者６０３と、内容６０４とであるので、これら各属性について、分類数と最大コンテンツ数をカウントすることになる。
【手続補正１１】
【補正対象書類名】明細書
【補正対象項目名】０１７９
【補正方法】変更
【補正の内容】
【０１７９】
ステップＳ４０６においてＰＬｃ［ ］の要素数は「０」ではないので、処理はステップＳ１６０５に移る。
【手続補正１２】
【補正対象書類名】明細書
【補正対象項目名】０１８０
【補正方法】変更
【補正の内容】
【０１８０】
ステップＳ１６０５において、ＰＬｃ［ ］の要素となる属性それぞれについて最大コンテンツ数を優先度で除算した値を分類コストとする。これにより、図１９に示すように、カラー種別６０２の分類コストは「０．９５」となる。また、作成者６０３の分類コストは「０．５０」となる。さらに、内容６０４の分類コストは「０．１３」となる。